(57)【要約】【課題】  釣り用ラインカッターを容易かつ素早く取り出し、かつ、容易に装着することのできる釣り用ラインカッターの保持金具を提供する。【解決手段】  釣り用ラインカッターＢと略同一の長さを有し、上面１ａに周縁部１０が形成されると共に、この周縁部１０内に１個或いは複数個の磁石５が所定間隔に配置され、さらに前記磁石５がシール部材４でシールされ、かつ、該シール部材４により釣り用ラインカッターＢが吸着保持される吸着面４ａが形成された本体１と、該本体１より延長され被服等に係止する係止片６とを有し構成されている。【選択図】  図１
0003123132.tif 000002
【実用新案登録請求の範囲】
【請求項１】
釣り用ラインカッターと略同一の長さを有し、上面に周縁部が形成されると共に、この周縁部内に１個或いは複数個の磁石が所定間隔に配置され、さらに前記磁石がシール部材でシールされ、かつ、該シール部材により釣り用ラインカッターが吸着保持される吸着面が形成された本体と、該本体より延長され被服等に係止する係止片とを有していることを特徴とする、釣り用ラインカッターの保持具。
【請求項２】
前記吸着面が、ラインカッターを吸着保持する弓状の吸着面に形成されていることを特徴とする、請求項１に記載の釣り用ラインカッターの保持具。
【請求項３】
前記本体に配置される磁石は、隣接する磁石同士の磁力線を弱めないように配置されていることを特徴とする、請求項１に記載の釣り用ラインカッターの保持具。
【考案の詳細な説明】
【技術分野】
【０００１】
本考案は、フライフィッシング用具のフライをリーダーに連結したり、ライン同士又はラインとリーダーとを連結する際に使用したりする釣り用ラインカッターを帽子や被服等に磁力によって着脱自在に保持するための釣り用ラインカッターの保持具に関する。
【背景技術】
【０００２】
一般的に釣り人が釣りをする際には、複数個の釣り糸（ライン）やラインカッター、浮きといった釣り具や、手袋等の小物等を常時持ち歩けるように多数のポケットを有する釣り用ジャケットを身に着け、前記小物類をポケットに入れている。このジャケットは、釣り人が釣り場内を移動する際や、釣った魚から針を取除く際の釣り人の体勢の変化等によっても小物等が落下しないようにポケットの口にチャック又はボタン等が付けられており、通常、このポケットは小物等が落下しないように閉じられた状態で釣りに使用されている。
【０００３】
ところで、前記ラインカッターは、一端に刃を有する一対の板体が対向して設けられ、板体を押圧して一端部の刃を衝合して釣り糸（ライン）を切断するようになっているため、鋏で切断するときのように切断位置が刃の進行方向に移動することがないので、例えば、細いラインの結び目から突出した余分な端部（リーダー）などを思い通りの位置で切断したり、絡まったラインの切断、又は結び目の余分なラインを切り落とすのに使用されたりしている。また、このようなラインカッターは、指で摘むようにして保持しながら前述のように細かい作業でも使用されるので、手のひらに収まる程度の小型に作られている。
【０００４】
ところで、このように釣りをする際に釣り人に欠かせないラインカッターは、前記釣り用ジャケットのポケットに入れらており、釣り人が使いたいときに使用できるようになっているが、多数あるポケットの中から捜し出さなければならない上、ラインカッターの入っているポケットに他の小物等が入れられていると取り出すのに手間取ってしまい、また、取り出そうとした際に他の小物を落としてしまうという問題があった。また、釣りの仕掛けを急いで手直ししようとして慌ててラインカッターを取り出す際に、このラインカッターの刃先でジャケットを引っ掛けてしまい、ジャケットを破ってしまうことがあった。
【０００５】
そして、ラインカッターを探すのに手間取る上、このラインカッターの刃先でジャケットを破らないように注意しながら取り出さなくてはならないので、手間取ってしまうこととなっていた。また、このように手間取っているうちに、釣りのチャンスを逃してしまうということもあり、釣り人が焦ってしまい、釣りの際の集中力を欠いてしまうことにもなっていた。
【考案の開示】
【考案が解決しようとする課題】
【０００６】
本考案は、前記の問題を解決するためになされたものであって、その目的とするところは、ラインカッターを容易かつ素早く取り出し、かつ、容易に保持することのできるラインカッター用保持具を提供することにある。
【課題を解決するための手段】
【０００７】
前記目的を達成するための本考案に係る釣り用ラインカッターの保持具は、
１）釣り用ラインカッターＢと略同一の長さを有し、上面１ａに周縁部１０が形成されると共に、この周縁部１０内に１個或いは複数個の磁石５が所定間隔に配置され、さらに前記磁石５がシール部材４でシールされ、かつ、該シール部材４により釣り用ラインカッターＢが吸着保持される吸着面４ａが形成された本体１と、該本体１より延長され被服等に係止する係止片６とを有していることを特徴とする。
２）前記吸着面４ａが、ラインカッターＢを吸着保持する弓状の吸着面４ａに形成されていることを特徴とする。
３）前記本体に配置される複数の磁石５は、隣接する磁石５同士の磁力線を弱めないように配置されていることを特徴とする。
【考案の効果】
【０００８】
本考案に係る釣り用ラインカッターの保持具は、その本体に埋設した磁石によりラインカッターを着脱容易かつ確実に保持し、さらに、ラインカッターを横に寝かせた状態に保持しているので、使用する際に手指や被服等を傷つけることなく直ぐに使用することができ、また、使用後も直ぐに装着することができるので、ラインカッターを取り出すのに手間取ってしまい釣りのチャンスを逃がすことがなくなる。
【０００９】
また、ラインカッターを探すのに手間取ることがなく、ラインカッターを探す手間が省かれると共に、釣り人の集中力や注意力を奪われないので、釣り人が釣りを一層楽しむことができる。
【００１０】
また、複数の磁石を、隣接する磁石同士の磁極が反転するように配置したことにより、磁石の吸着作用が著しく向上し、確実にラインカッターを保持することができる。さらにまた、シール部材がラインカッターを装着する際の衝撃を吸収すると共に、本体とラインカッターが擦れ合うことで擦り傷等が付かない。また、磁石自体も保護されるので、衝撃で欠け易いフェライト磁石のような安価な磁石を使用することができる。
【００１１】
さらにまた、ラインカッターの板体の形状に対応するドーム形状に形成されていると共に、磁石がこのドーム形状に追従して配置されているので、釣り人の動作によりラインカッターが移動したり、外れたりすることを確実に防止することができる。
【考案を実施するための最良の形態】
【００１２】
以下、図１から図３を参照して本考案に係る保持具の実施形態を説明する。
〔実施例１〕
保持具Ａは、釣り用ラインカッターＢと略同一の長さを有し、上面１ａに周縁部１０が形成されると共に、この周縁部１０内に１個或いは複数個の磁石５が所定間隔に配置され、さらに前記磁石５がシール部材４でシールされ、かつ、該シール部材４により釣り用ラインカッターＢが吸着保持される吸着面４ａが形成された本体１と、該本体１より延長され被服等に係止する係止片６とにより構成されている。
【００１３】
更に詳しくは、図１及び図２に示す如く、前記磁石５は保持具Ａの長径方向に円形の磁石５が３個配置されており、この磁石５同士の磁極方向はお互いの磁力線を弱めないように配置され、磁石保持穴３に接着剤等により固定されている。また、前記磁石３としてはフェライト磁石、アルニコ磁石やネオジム磁石等が適宜使用される。
【００１４】
前記保持具Ａの本体１と係止片６は真鍮や亜鉛等の金属製であり、図１に示す如く、本体１と係止片６は鋳造により一体成形され、前記係止片６は折り曲げ加工によりクリップ形状に加工されている。
【００１５】
また、前記シール部材４は、本体の磁石保持穴３に磁石３を固定した後、樹脂を流し込み、これを固化させて形成されている。樹脂としては金属との密着性の良好なものが適宜使用される。
【００１６】
このように構成された保持具Ａは、図８に示す如く釣り人の帽子Ｃの鍔Ｃ１の縁にシール部材４が上側となるように係止片６で取り付けられ、図３に示す如くラインカッターＢが保持具に吸着した状態で使用される。
【００１７】
そして、釣りの際にラインが絡まったりした場合に、釣り人がラインカッターＢを指でつまんで保持具Ａから外し、ラインを切断したり調整したりする作業を行う。使用後は、ラインカッターＢを保持具Ａに当接して該保持具Ａに保持しておく。
【００１８】
本考案に係る保持具Ａにより、ラインカッターＢを保持具Ａから取り外したり、保持具Ａに保持させたりといった操作が片手で行えるので、一方の手でラインを押さえながら他方の手でラインカッターＢを取り外して切断作業等を行うことができる。そしてその取り外し操作は容易かつ素早く行うことができ、また、使用後の片付けも素早く行うことができるので、釣りのチャンスをラインカッターＢを探している間に逃してしまうことがなくなる。
【００１９】
さらに、保持具Ａは鋳造により生産されるので、安価に大量に生産することができる。
〔実施例２〕
次に、本考案に係る保持具Ａの他の実施形態を図４から図６を参照して説明する。同一部材等の同一の構成については説明を省略する。
【００２０】
保持具Ａの凹部２は、図４に示す如く、保持される釣り用ラインカッターＢの反面の形状に対応する弓状に形成されていると共に、該弓形状に追従して３個の磁石５が保持具本体１の長径方向に固定され、さらにシール部材４により凹部３がシールされている。
【００２１】
このように構成された保持具Ａは、図８に示す如く釣り人の帽子Ｃの鍔Ｃ１の縁にシール部材４が上側となるように係止片６で取り付けられ、図６に示す如くラインカッターＢが保持具Ａに吸着した状態で使用される。
【００２２】
そして、釣りの際にラインが絡まったりした場合に、釣り人がラインカッターＢを指でつまんで保持具Ａから外し、ラインを切断したり調整したりする作業を行う。使用後は、ラインカッターＢを保持具Ａに当接して該保持具Ａに保持しておく。
【００２３】
本考案に係る保持具Ａにより、ラインカッターＢの反面に対応する弓形状が形成されていると共に、該弓形状に追従して複数の磁石５同士の磁力線が弱まらないように配置したので、ラインカッターが一Ｂが一層強力に磁石５に吸着される。これにより、釣りの際の釣り人の動作や、釣り人が帽子Ｃを脱いだり被ったりする際にラインカッターＢが落下したり位置がずれたりすることが防止される。
【００２４】
なお、本実施形態においては保持具Ｂを帽子Ｃの鍔Ｃ１に取り付けたものについて説明をしたが、釣り用ジャケット等の被服の襟やベルトなどに取り付けてもよい。
【００２５】
また、帽子Ｃに複数の保持具Ａを取り付け、該保持具Ａのそれぞれにサイズや刃形状の異なる用途別のラインカッターＢを保持させて使用することもできる。そして、例えば図９に示す如く、保持具Ａの周縁部１０の一部よりラインカッターＢを収容する天蓋状の収容部１０ａを形成して確実にラインカッターＢを保持したり、他の収容手段を設けて、ラインカッターＢが釣り人の動きによって一層ずれないようにしてもよい。これにより、釣り人がラインカッターＢを保持具Ａに装着したり取り外したりする操作性も向上する。
【００２６】
また、磁石５は円形に限らず、矩形等の形状のものを使用することもできる。さらに、図７の如く、大径の磁石を１個だけ使用したり、大きさの異なる複数の磁石同士を使用したりしてもよい。
【図面の簡単な説明】
【００２７】
【図１】本考案に係るラインカッターの保持具の概略構成図である。（ａ）は正面図、（ｂ）は横断面図、（ｃ）は側断面図である。
【図２】本考案に係るラインカッターの保持具の概略構成図である。（ａ）は正面図、（ｂ）は横断面図である。
【図３】本考案に係るラインカッターの保持具の使用状態を示す概略図である。（ａ）は正面図、（ｂ）は横断面図である。
【図４】本考案に係るラインカッターの保持具の他の概略構成図である。（ａ）は正面図、（ｂ）は横断面図、（ｃ）は側断面図である。
【図５】本考案に係るラインカッターの保持具の他の概略構成図である。（ａ）は正面図、（ｂ）は横断面図である。
【図６】本考案に係るラインカッターの保持具の他の使用状態を示す概略図である。（ａ）は正面図、（ｂ）は横断面図である。
【図７】本考案に係るラインカッターの保持具のさらに他の横断面図である。
【図８】本考案に係るラインカッターの保持具の一実施形態を示す図である。
【図９】本考案に係るラインカッターの保持具のさらにまた他の底面図である。
【符号の説明】
【００２８】
Ａ  保持具
Ｂ  ラインカッター
Ｃ  帽子
Ｃ１  帽子の鍔
１  本体
２  凹部
３  磁石保持穴
４  シール部材
５  磁石
６  係止片
１０  周縁部
１０ａ  収容部
【図１】
0003123132.tif 000003
【図２】
0003123132.tif 000004
【図３】
0003123132.tif 000005
【図４】
0003123132.tif 000006
【図５】
0003123132.tif 000007
【図６】
0003123132.tif 000008
【図７】
0003123132.tif 000009
【図８】
0003123132.tif 000010
【図９】
0003123132.tif 000011